(57)【要約】 【解決課題】  従来の人工組織と比較して手術手技トレーニングにより好適に使用することができる人工組織モデル、及びその製造方法を提供する。【解決手段】  手術手技訓練実施者の手術手技により剥離可能に積層され互いに接着された２以上の繊維質層２，３を有し、上記積層され互いに接着された２以上の繊維質層２，３は、導電性の液体またはゲルで全体的に浸潤されてなり、上記２以上の繊維質層のうち互いに隣り合う２つの繊維質層は、異なる膜であることを前記手術手技訓練実施者が認識できるように互いに異なる材料、材質若しくは異なる色を有するように形成されたものである手術手技訓練用の人工臓器モデル。【選択図】      図１
2020126216.tif 000002
【特許請求の範囲】
【請求項１】
手術手技訓練用の人工臓器モデルであって、
２以上の繊維質層が、手術手技訓練実施者が剥離可能な強度で互いに接着されて積層されてなる繊維質構造体を有し、
前記繊維質構造体は、上記２以上の繊維質層が上記強度で互いに接着された後に、導電性の液体、液状ゾル若しくは液状ゲルで全体的に浸潤されてなるものである
ことを特徴とする手術手技訓練用の人工臓器モデル。
【請求項２】
請求項１記載の手術手技訓練用の人工臓器モデルにおいて、
上記２以上の繊維質層のうち互いに隣り合う２つの繊維質層は、異なる膜であることを前記手術手技訓練実施者が認識できるように互いに異なる材料、材質若しくは異なる色を有するように形成されたものである
ことを特徴とする手術手技訓練用の人工臓器モデル。
【請求項３】
請求項１記載の手術手技訓練用の人工臓器モデルにおいて、
上記２以上の繊維質層のうち、選択された２つの繊維質層の間には、手術手技訓練用の模擬臓器が配置されている
ことを特徴とする手術手技訓練用の人工臓器モデル。
【請求項４】
請求項３記載の手術手技訓練用の人工臓器モデルにおいて、
前記模擬臓器は人工素材で形成された人工模擬臓器である
ことを特徴とする人工臓器モデル。
【請求項５】
請求項３記載の手術手技訓練用の人工臓器モデルにおいて、
前記模擬臓器は動物から採取したものである
ことを特徴とする人工臓器モデル。
【請求項６】
請求項３記載の手術手技訓練用の人工臓器モデルにおいて、
前記模擬臓器は、尿管、血管、腸管、神経のうちの１つ若しくは２以上である
ことを特徴とする人工臓器モデル。
【請求項７】
請求項１記載の手術手技訓練用の人工臓器モデルにおいて、
前記繊維質層間の接着は、熱可塑性樹脂を用いて行われている
ことを特徴とする手術手技訓練用の人工臓器モデル。
【請求項８】
請求項１記載の手術手技訓練用の人工臓器モデルにおいて、
前記繊維質層間の接着は、多孔質材料からなる接着層を介して行われている
ことを特徴とする手術手技訓練用の人工臓器モデル。
【請求項９】
請求項８記載の手術手技訓練用の人工臓器モデルにおいて、
前記接着層は接着芯地である
ことを特徴とする手術手技訓練用の人工臓器モデル。
【請求項１０】
請求項９記載の手術手技訓練用の人工臓器モデルにおいて、
前記接着芯地は、必要な剥離強度に応じて２以上用いられるものである
ことを特徴とする手術手技訓練用の人工臓器モデル。
【請求項１１】
請求項１記載の手術手技訓練用の人工臓器モデルにおいて、
この人工臓器モデルは、所定の模擬臓器の表面に接着されているものであることを特徴とする手術手技訓練用の人工臓器モデル。
【請求項１２】
請求項１記載の手術手技訓練用の人工臓器モデルにおいて、
前記導電性の液体、液状ゾル又は液状のゲルの粘度は、１ｃｐ以上５０、０００ｃｐ以下である
ことを特徴とする手術手技訓練用の人工臓器モデル。
【請求項１３】
請求項１２記載の手術手技訓練用の人工臓器モデルにおいて、
前記導電性の液体又はゲルの粘度は１４０ｃＰ〜２０，０００ｃＰである
ことを特徴とする手術手技訓練用の人工臓器モデル。
【請求項１４】
請求項１２記載の手術手技訓練用の人工臓器モデルにおいて、
前記導電性の液体又はゲルの粘度は９００ｃＰ〜５０００ｃＰである
ことを特徴とする手術手技訓練用の人工臓器モデル。
【請求項１５】
請求項１記載の手術手技訓練用の人工臓器モデルにおいて、
前記導電性の液体又はゲルは無色透明である
ことを特徴とする手術手技訓練用の人工臓器モデル。
【請求項１６】
前記導電性の液体、液状ゾル又は液状のゲルは、粘性を有する電解質水溶液、流動性を有するハイドロゲル、ハイドロゾル、エマルジョン、卵白、又はこれら２以上の混合水溶液である
ことを特徴とする手術手技訓練用の人工臓器モデル。
【請求項１７】
請求項１記載の手術手技訓練用の人工臓器モデルにおいて、
前記繊維質構造体は、導電性の液体又はゲルで全体的に浸潤された後に封入される
ことを特徴とする手術手技訓練用の人工臓器モデル。
【請求項１８】
２以上の繊維質層を用意する工程と、
上記２以上の繊維質層を積層させて互いに接着する工程と、
上記互いに接着された２以上の繊維質層に導電性の液体、液状ゾル又は液状ゲルを供給し浸潤させる工程と、
を有することを特徴とする手術手技訓練用の人工臓器モデルの製造方法。
【請求項１９】
請求項１８記載の製造方法において、
前記接着工程は、手術手技訓練実施者の手術手技により剥離可能な強度で前記２以上の繊維質層同士を接着するものである
ことを特徴とする製造方法。
【請求項２０】
請求項１８記載の製造方法において、
さらに、
前記２以上の繊維質層のうち互いに隣り合う２つの繊維質層を、異なる膜であることを前記手術手技訓練実施者が認識できるように互いに異なる材料、材質若しくは異なる色を有するように準備する工程を有する
ことを特徴とする製造方法。
【請求項２１】
請求項１８記載の製造方法において、
前記２以上の繊維質層を積層させて互いに接着する工程は、
上記２以上の繊維質層を積層させる際に、上記繊維層間にシート状の接着層を介在させる工程と、
前記積層された２以上の繊維質層を加熱して上記繊維質層同士を接着する工程と
を有することを特徴とする製造方法。
【請求項２２】
請求項１８記載の製造方法において、さらに、
上記２以上の繊維質層のうち、選択された２つの繊維質層の間に、手術手技訓練用の模擬臓器が配置する工程を有する
ことを特徴とする製造方法。
【請求項２３】
請求項２２記載の製造方法において、
前記模擬臓器は人工素材で形成された人工模擬臓器である
ことを特徴とする製造方法。
【請求項２４】
請求項２２記載の製造方法において、
前記模擬臓器は動物から採取したものである
ことを特徴とする製造方法。
【請求項２５】
請求項２２記載の製造方法において、
前記模擬臓器は、尿管、血管、腸管、神経のうちの１つ若しくは２以上である
ことを特徴とする製造方法。
【請求項２６】
請求項１８記載の製造方法において、
前記繊維質層間の接着は、熱可塑性樹脂を用いて行われている
ことを特徴とする製造方法。
【請求項２７】
請求項１８記載の製造方法において、
前記繊維質層間の接着は、前記熱可塑性樹脂若しくは接着剤が含浸若しくはコーティングされた薄膜シートを選択された１枚若しくは枚数積層して用いることで行う
ことを特徴とする製造方法。
【請求項２８】
請求項１８記載の製造方法において、さらに、
前記人工臓器モデルを、所定の模擬臓器の表面に接着する工程を有する
ことを特徴とする製造方法。
【請求項２９】
請求項１８記載の製造方法において、
さらに、
前記導電性の液体、液状ゾル又は液状ゲルで湿潤された繊維質層を封入する工程を有する
ことを特徴とする製造方法。
【請求項３０】
人工臓器モデルを用いた手術手技訓練方法において、
前記人工臓器モデルは、
２以上の繊維質層が、手術手技訓練実施者が剥離可能な強度で互いに接着されて積層されてなる繊維質構造体を有し、
前記繊維質構造体は、上記２以上の繊維質層が上記強度で互いに接着された後に、導電性の液体又は液状ゾル若しくは液状ゲルで全体的に浸潤されてなるものであり、
この手術手技訓練方法は、
前記２以上の繊維質層のうち表層をピンセットでリフトアップして牽引力（カウンタートラクション）を付加する工程と、
電気メスや超音波メスで前記リフトアップした繊維質層を切開し、下層の繊維質層から分離して剥離する工程と
を有することと特徴とする手術手技訓練方法。
【請求項３１】
請求項２８記載の訓練方法において、
前記人工臓器モデルの２以上の繊維質層のうち、選択された２つの繊維質層の間には、手術手技訓練用の模擬臓器が配置されおり、
この訓練方法は、
さらに、前記模擬臓器を採取する工程をさらに有する
ことを特徴とする訓練方法。
【発明の詳細な説明】
【技術分野】
【０００１】
本発明は、手術手技訓練用の人工臓器モデル、その人工臓器モデルの製造方法、及びその人工臓器モデルを用いた手術手技訓練方法に関する。
【背景技術】
【０００２】
高度な手術執刀技術が要求される手術、例えば、心臓手術を例にとると、日本では年間約５万例の手術が行われている。しかし、多数の病院（約５００病院）と多数の心臓外科医でそれらの手術を分け合っているため、実際には外科医一人当たりの執刀数は限られているのが現状である。
【０００３】
加えて、患者の高齢化、再手術の増加、オフポンプバイパス手術の一般化、ステント挿入後で吻合部位が限定されている症例など、症例の難易度は年々上昇しており、若手心臓外科医が執刀できるチャンスは減少しているといわれている。
【０００４】
このような執刀経験の減少を補うため、従来、ブタなどの動物の内部臓器や、人工臓器を用いた手技訓練が行なわれている。
【０００５】
このうち、人工臓器モデルとしては、従来、シリコーン、ウレタンエラストマー、スチレンエラストマー、ポリビニールアルコール（ＰＶＡ）等で製造されたモデルが提案されている。
【０００６】
このうち、ポリビニールアルコール（ＰＶＡ）で生成されたゲル状で血管等の模擬臓器を封入して成るモデルは、人工的であるのに実際の人体組織と切開感が似ているということがあり、比較的好適である。
【発明の概要】
【発明が解決しようとする課題】
【０００７】
しかしながら、上記した従来の人工臓器モデルでは、依然として実際の臓器の再現性に乏しいところがあり、より手術手技のトレーニングに適した人工組織の開発が求められている。
【０００８】
本発明は、このような事情に鑑みてなされたものであり、従来の人工組織と比較して手術手技トレーニングにより好適に使用することができる人工組織モデル、及びその製造方法を提供することを目的とするものである。
【課題を解決するための手段】
【０００９】
発明者らは、手術手技訓練において実際の人臓器を切開した場合と比較した場合の再現性を向上させるべく、試行錯誤したところ、臓器の膜剥離再現性の高い人工臓器モデルについての知見を得、実際に試作品を作成して鋭意開発をしたところ、本発明を完成するに至ったものである。
【００１０】
すなわち、本願発明の主要な観点によれば、（１）手術手技訓練用の人工臓器モデルであって、２以上の繊維質層が、手術手技訓練実施者が剥離可能な強度で互いに接着されて積層されてなる繊維質構造体を有し、前記繊維質構造体は、上記２以上の繊維質層が上記強度で互いに接着された後に、導電性の液体、液状ゾル又は液状ゲルで全体的に浸潤されてなるものであることを特徴とする手術手技訓練用の人工臓器モデルを得ることができる。
【００１１】
このような構成によれば、繊維質層を積層して互いに接着することで人体の膜構造体を再現することができ、その後導電性液／ゲルで濡れ性及び導電性を与えることで電気メス等を用いた剥離手技のシミュレーションを実現することができる。すなわち、外科的に適切なカウンタートラクション、牽引力を負荷することで、電気メスによる剥離、切断、焼灼、凝固などの処理を実現することができる。また、各層間に尿管、血管、腸管、神経などの、手術トレーニング手技対象となる臓器及び構造体が適切に配置することができる。ここで、上記導電性の液体、液状ゾル又はゲルは、１ｃＰ以上の粘度を有する電解質水溶液、流動性を有するハイドロゲル、ハイドロゾル、エマルジョン、卵白、卵白および電解質水溶液の混合溶液などであることが好ましい。
【００１２】
また、この第１の観点の人工臓器モデルによれば以下の態様で実施することが好ましい。
【００１３】
（２）  上記（１）の手術手技訓練用の人工臓器モデルにおいて、
上記２以上の繊維質層のうち互いに隣り合う２つの繊維質層は、異なる膜であることを前記手術手技訓練実施者が認識できるように互いに異なる材料、材質若しくは異なる色を有するように形成されたものである
ことを特徴とする手術手技訓練用の人工臓器モデル。
【００１４】
（３）  上記（１）の手術手技訓練用の人工臓器モデルにおいて、
上記２以上の繊維質層のうち、選択された２つの繊維質層の間には、手術手技訓練用の模擬臓器が配置されている
ことを特徴とする手術手技訓練用の人工臓器モデル。
【００１５】
（４）  上記（３）の手術手技訓練用の人工臓器モデルにおいて、
前記模擬臓器は人工素材で形成された人工模擬臓器である
ことを特徴とする人工臓器モデル。
【００１６】
（５）  上記（３）の手術手技訓練用の人工臓器モデルにおいて、
前記模擬臓器は動物から採取したものである
ことを特徴とする人工臓器モデル。
【００１７】
（６）  上記（３）の手術手技訓練用の人工臓器モデルにおいて、
前記模擬臓器は、尿管、血管、腸管、神経のうちの１つ若しくは２以上である
ことを特徴とする人工臓器モデル。
【００１８】
（７）  上記（１）の手術手技訓練用の人工臓器モデルにおいて、
前記繊維質層間の接着は、熱可塑性樹脂を用いて行われている
ことを特徴とする手術手技訓練用の人工臓器モデル。
【００１９】
（８）  上記（１）の手術手技訓練用の人工臓器モデルにおいて、
前記繊維質層間の接着は、多孔質材料からなる接着層を介して行われている
ことを特徴とする手術手技訓練用の人工臓器モデル。
【００２０】
（９）  上記（８）の手術手技訓練用の人工臓器モデルにおいて、
前記接着層は接着芯地である
ことを特徴とする手術手技訓練用の人工臓器モデル。
【００２１】
（１０）  上記（９）の手術手技訓練用の人工臓器モデルにおいて、
前記接着芯地は、必要な剥離強度に応じて２以上用いられるものである
ことを特徴とする手術手技訓練用の人工臓器モデル。
【００２２】
（１１）  上記（１）の手術手技訓練用の人工臓器モデルにおいて、
この人工臓器モデルは、所定の模擬臓器の表面に接着されているものであることを特徴とする手術手技訓練用の人工臓器モデル。
【００２３】
（１２）  上記（１）の手術手技訓練用の人工臓器モデルにおいて、
前記導電性の液体又はゲルの粘度は５０、０００ｃｐ以下である
ことを特徴とする手術手技訓練用の人工臓器モデル。
【００２４】
（１３）  上記（１２）の手術手技訓練用の人工臓器モデルにおいて、
前記導電性の液体又はゲルの粘度は１４０ｃＰ〜２０，０００ｃＰである
ことを特徴とする手術手技訓練用の人工臓器モデル。
【００２５】
（１４）  上記（１２）の手術手技訓練用の人工臓器モデルにおいて、
前記導電性の液体又はゲルの粘度は９００ｃＰ〜５０００ｃＰである
ことを特徴とする手術手技訓練用の人工臓器モデル。
【００２６】
（１５）  上記（１）の手術手技訓練用の人工臓器モデルにおいて、
前記導電性の液体又はゲルは無色透明である
ことを特徴とする手術手技訓練用の人工臓器モデル。
【００２７】
（１６）  上記（１）の手術手技訓練用の人工臓器モデルにおいて、
前記繊維質構造体は、導電性の液体又はゲルで全体的に浸潤された後に封入される
ことを特徴とする手術手技訓練用の人工臓器モデル。
【００２８】
（１７）
２以上の繊維質層を用意する工程と、
上記２以上の繊維質層を積層させて互いに接着する工程と、
上記互いに接着された２以上の繊維質層に導電性の液体またはゲルを供給し浸潤させる工程と、
を有することを特徴とする手術手技訓練用の人工臓器モデルの製造方法。
【００２９】
（１８）  上記（１７）の製造方法において、
前記接着工程は、手術手技訓練実施者の手術手技により剥離可能な強度で前記２以上の繊維質層同士を接着するものである
ことを特徴とする製造方法。
【００３０】
（１９）  上記（１７）の製造方法において、
さらに、
前記２以上の繊維質層のうち互いに隣り合う２つの繊維質層を、異なる膜であることを前記手術手技訓練実施者が認識できるように互いに異なる材料、材質若しくは異なる色を有するように準備する工程を有する
ことを特徴とする製造方法。
【００３１】
（２０）  上記（１７）の製造方法において、
前記２以上の繊維質層を積層させて互いに接着する工程は、
上記２以上の繊維質層を積層させる際に、上記繊維層間にシート状の接着層を介在させる工程と、
前記積層された２以上の繊維質層を加熱して上記繊維質層同士を接着する工程と
を有することを特徴とする製造方法。
【００３２】
（２１）  上記（１７）の製造方法において、さらに、
上記２以上の繊維質層のうち、選択された２つの繊維質層の間に、手術手技訓練用の模擬臓器が配置する工程を有する
ことを特徴とする製造方法。
【００３３】
（２２）  上記（２１）の製造方法において、
前記模擬臓器は人工素材で形成された人工模擬臓器である
ことを特徴とする製造方法。
【００３４】
（２３）  上記（２１）の製造方法において、
前記模擬臓器は動物から採取したものである
ことを特徴とする製造方法。
【００３５】
（２４）  上記（２１）の製造方法において、
前記模擬臓器は、尿管、血管、腸管、神経のうちの１つ若しくは２以上である
ことを特徴とする製造方法。
【００３６】
（２５）  上記（１７）の製造方法において、
前記繊維質層間の接着は、熱可塑性樹脂を用いて行われている
ことを特徴とする製造方法。
【００３７】
（２６）  上記（１７）の製造方法において、
前記繊維質層間の接着は、前記熱可塑性樹脂若しくは接着剤が含浸若しくはコーティングされた薄膜シートを選択された１枚若しくは枚数積層して用いることで行う
ことを特徴とする製造方法。
【００３８】
（２７）  上記（１７）の製造方法において、さらに、
前記人工臓器モデルを、所定の模擬臓器の表面に接着する工程を有する
ことを特徴とする製造方法。
【００３９】
（２８）  上記（１７）の製造方法において、
さらに、
前記導電性の液体またはゲルで湿潤された繊維質層を封入する工程を有する
ことを特徴とする製造方法。
【００４０】
（２９）  人工臓器モデルを用いた手術手技訓練方法において、
前記人工臓器モデルは、
２以上の繊維質層が、手術手技訓練実施者が剥離可能な強度で互いに接着されて積層されてなる繊維質構造体を有し、
前記繊維質構造体は、上記２以上の繊維質層が上記強度で互いに接着された後に、導電性の液体又は液状ゲルで全体的に浸潤されてなるものであり、
この手術手技訓練方法は、
前記２以上の繊維質層のうち表層をピンセットでリフトアップして牽引力（カウンタートラクション）を付加する工程と、
電気メスや超音波メスで前記リフトアップした繊維質層を切開し、下層の繊維質層から分離して剥離する工程と
を有することと特徴とする手術手技訓練方法。
【００４１】
（３０）  上記（２８）の訓練方法において、
前記人工臓器モデルの２以上の繊維質層のうち、選択された２つの繊維質層の間には、手術手技訓練用の模擬臓器が配置されおり、
この訓練方法は、
さらに、前記模擬臓器を採取する工程をさらに有する
ことを特徴とする訓練方法。
【００４２】
なお、上記した以外の本発明の特徴は、以下の発明を実施するための形態の項及び図面に示される。
【図面の簡単な説明】
【００４３】
【図１】図１は、この発明の第１の実施形態を示す人工臓器モデルの概略構成図。
【００４４】
【図２】図２は、同じく、製造工程を示す概略図。
【００４５】
【図３】図３は、同じく、人工臓器モデルを使用した手術手技訓練を示す写真。
【００４６】
【図４】図４は、同じく、人工臓器モデルを使用した手術手技訓練を示す模式図。
【００４７】
【図５】図５は、同じく、人工臓器モデルを使用した手術手技訓練を示す模式図。
【００４８】
【図６】図６は、第２の実施形態の人工臓器モデルを示す概略構成図。
【００４９】
【図７】図７は、同じく、図６のＡ−Ａ視図及び平面図。
【００５０】
【図８】図８は、同じく、図７に対応する写真。
【００５１】
【図９】図９は、第３の実施形態の人工臓器モデルを示す概略構成図。
【００５２】
【図１０】図５は、同じく、外観を示す写真。
【００５３】
【図１１】図１１は、同じく、図１０に対応する概略構成図。
【００５４】
【図１２】図１２は、同じく、手術手技訓練を示す写真。
【００５５】
【図１３】図１３は、第４の実施形態の人工臓器モデルを示す写真。
【００５６】
【図１４】図１４は、同じく、図１３に対応する概略構成図。
【００５７】
【図１５】図１５は、同じく、図１４のＡ−Ａ視図。
【００５８】
【図１６】図１６は、同じく、図１４のＢ−Ｂ視図。
【００５９】
【図１７】図１７は、同じく、剥離強度測定結果を示す表。
【００６０】
【図１８】図１８は、同じく、試験片間の剥離強度を比較するグラフ。
【００６１】
【図１９】図１９は、同じく、導電性粘液の最適粘度の分布を示すグラフ。
【００６２】
【図２０】図２０は、同じく、第４の実施例の人工臓器モデルの製造工程を示す図。
【００６３】
【図２１】図２１は、同じく、人工臓器モデルを組み立てた状態を示す斜視図。
【００６４】
【図２２】図２２は、同じく、人工臓器モデルを組み立て階層構造を示す模式図。
【００６５】
【図２３】図２３は、同じく、人工臓器モデルの固定枠を示す写真。
【００６６】
【図２４】図２４は、同じく、人工臓器モデルの固定枠を示す写真。
【００６７】
【図２５】図２５は、同じく、人工臓器モデルの完成状態を示す写真。
【００６８】
【図２６】図２６は、同じく、人工臓器モデルの使用態様を示す写真。
【発明を実施するための形態】
【００６９】
以下、この発明の一実施形態を、図面を参照して説明する。
【００７０】
（第１の実施形態）
（構成）
図１はこの発明の最も基礎的な形態を有する人工臓器モデル１（基礎モデル）を示す斜視図であり、図２はその製造工程を示す模式図である。
【００７１】
この人工臓器モデル１は、第１、第２の繊維質層２，３を有する２層構造であり、第１、第２の繊維質層２，３の間には接着層４が設けられ、この接着層４により第１、第２の繊維質２，３が剥離可能に接着されている。
【００７２】
各繊維質層２，３は、天然若しくは化学繊維の織物若しくは不織物であり、繊維質の長手方向が概ね各層の面方向に沿って延長するように構成されている。そして、各繊維質層２，３は、それぞれ異なる臓器（皮膚層や脂肪層、血管等）を模擬するものであり、互いに異なる色に着色されているか、異なる材質若しくは材料の繊維で構成されていて、ユーザが繊維質層２，３の境目を容易に認識できるようになっている。
【００７３】
前記接着層４は、所定の接着剤が含有若しくは含浸されているか、或はその一方若しくは両面に塗布されてなる繊維質からなる薄膜シート状の材料である。この接着層は後でこの人工臓器モデルに含浸させる導電性ゲルがその厚さ方向に流通可能なように多孔質材料で構成されているものであり、好ましくは接着芯地である。また、この接着層４は上記第１、第２の繊維質層間に必要な剥離強度に応じて１若しくは複数枚重ねて用いられる。
【００７４】
そして、この実施形態においては上記図２に示すように、前記接着層４を前記第１、第２の繊維質層２，３間に挟んで厚さ方向に積層した後（ステップＳ１〜Ｓ３）、アイロン等を使用して加圧すると共に加熱し、その後冷却することで上記第１、第２の繊維質層２，３を相互に接着するものである（ステップＳ４）。ついで、この人工臓器モデル１は、全体が導電性粘液により湿潤することで完成する（ステップＳ４）。
【００７５】
なお、ここで、ＥＢＭ社実施品においては、繊維構造体を着色して、繊維質層の視認性、層の境界を明示している。したがって、導電性粘液（又は単なる液体）については、あくまで流動性を有する液体状であり、かつ、繊維質層の識別を妨げないように無色若しくは透明（透光性）でなければならない。
（本発明における接着層の機能）
本発明では、上記第１、第２の繊維質層２，３同士を接着層４、具体的には接着芯地を用いて接着することで本モデル１の基本構造体を構築している。これが、従来のＰＶＡを用いたモデルのようにＰＶＡ自体が基本構造体を構成しているものと大きく異なる点である。
【００７６】
ここで、接着芯地４は、繊維質層２，３間の境界層に用いられることで任意の剥離強度を付与するものである。これにより、複数層の繊維質からなる繊維構造体において、剥離手技訓練に対する剥離強度を設計でき、意図的な再現を実現することができる。
【００７７】
ここで、発明者らは、本発明の接着層により実現される剥離強度の意義を検証するべく、前記繊維質層を導電性粘液で湿潤する前の乾燥状態、自然状態において幅１０ｍｍ, 長さ１５ｃｍ, 厚み約３ｍｍの単層繊維質を、接着芯地により２層に接着した短冊形状の２層繊維質構造体を試験片（サンプル）Ａ，Ｂとし、定格１０Ｎのロードセルを用いて、剥離強度の計測を実施した。
【００７８】
図１７は上記試験片として、試験片Ａ：接着芯地有り且つ導電性粘液による浸潤無し、試験片Ｂ：接着芯地有り且つ導電性粘液による浸潤有り、試験片Ｃ：単層の繊維質層（境界層がないもの）、を作成し、その試験・計測結果を表したものである。
なお、試験辺の片端５０ｍｍの部分は、試験片Ａ、Ｂ、Ｃいずれも接着芯地を用いない非接着領域とし、引張試験機の掴み具による把持用領域（チャック領域）とした。
【００７９】
試験方法としては、一般的に実施されているテープの剥離強度の計測系を参考に、計測系を設計した。初期状態の上記掴み具の間隔は２０ｍｍとした。チャック領域は幅１０ｍｍ, 長さ１０ｍｍであり、試験片と一致する形状とした。引張速度は、外科手術における剥離手技を想定し、３００ｍｍ/ｍｉｎを設定した。初期状態から２００ｍｍの変位をチャック領域に与え、最大荷重を剥離強度として採用した。剥離強度は、試験片の幅に比例して増加するため、最大荷重を幅で除した値（Ｎ/ｃｍ）を剥離強度として採用した。
【００８０】
このようにして計測した剥離強度の試験結果を図１７中及び図１８に示した。
【００８１】
すなわち、試験片Ａは、接着芯地による接着のみで、粘液の浸潤は提供されていない、いわゆる乾燥状態の試験片である。この構成によれば、Ａの剥離強度は、０．９１１Ｎ, 標準偏差０．１４６であった。
【００８２】
試験片Ｂは接着芯地で接着した繊維構造体に対して、導電性粘液を浸潤した試験片である。剥離強度は、０．５５９Ｎ、標準偏差０．１５８Ｎであり、試験片Ａに比して有意に低値であったが、安定した剥離強度を示した。剥離強度の一定程度の低下については、接着芯地に対して粘液の水分が作用していることが考えられる。
【００８３】
試験片Ｃは、接着芯地を用いていない繊維層単層の試験結果である。Ｃの剥離強度は３．２１７Ｎ, 標準偏差は０．２９０であり、接着芯地を用いたＡ, Ｂに比して、安定的に高い剥離強度を有することが明らかとなった。この試験片Ｃの結果より、本発明においては接着芯地を用いることで、意図的に脆弱な剥離境界面を再現することができることが示された。
【００８４】
すなわち、本発明は、接着芯地を用いることで、繊維構造体を構成する繊維層単層の剥離強度以下の領域（範囲）において、任意の剥離強度を再現することが可能である。また、導電性粘液は臓器モデルを構成する上での構造的強度を有しておらず、あくまで流動性を有する液体として、専ら本臓器モデルの導電性を付与するために用いる。そして、上記試験の場合のように粘液を用いる際に剥離強度が低下する場合には、このことを考慮して上記接着芯地の接着強度を調整することが望ましい。
【００８５】
（導電性粘液の機能）
本発明においては、前記接着層４を有する多層構造を有する繊維質構造体の製造工程を経て、最終的には導電性粘液を当該繊維構造体に含浸させ、構造体の内部を粘液で満たすことによって完成する。
【００８６】
本発明において重要なのは、上記導電性粘液は、上記繊維質層２，３同士を接着する目的で用いられるのではなく、専ら人工臓器モデルに濡れ性と導電性を付与するためのものであることである。そして、この濡れ性と導電性が手術手技トレーニング中に一定時間以上（例えば５分〜６０分）保たれる必要があるため、上記導電性粘液は一定の粘性を有する必要があるのである。
【００８７】
すなわち、本発明の導電性粘液は、従来のモデルのようにハイドロゲルを硬化させて流動性を消失させ構造上の主体として用いて対象臓器自体を模擬するものと異なり、対象臓器そのものを模擬するのに用いられるものではないのである。むしろ、本実施形態における導電性粘液は、粘液とはいえ、一定以上の粘性（粘度）を有すると、メスにまとわりついて手術手技の訓練を妨げるため、流動性を有する、例えば粘性１００００ｃｐ以下であることが好ましい。すなわち、この実施形態における粘液は、流動性を必須とすることからゾルと表現すべきものである。
【００８８】
この発明における導電性粘液とは、液体に電解質や導電性粒子を含むことによって、導電性を有する液体を指す。そして、この発明における導電性粘液は、本モデを使用したトレーニング時においても所定の流動性（粘性）を有している必要がある。
【００８９】
以下、本発明で用いる導電性粘液として適した粘度の範囲を調べるために行った試験例を示す。
【００９０】
ゲルやゾルといった高分子を含む粘液は、その多くが非ニュートン流体であり、測定条件によって計測される粘度の値が異なるという特徴がある。よって、本発明の発明者らは、臓器モデルとして好適な範囲を示すために、粘度測定として国際的にも一般的に用いられている単一円筒形回転粘度計であるブルックフィールド粘度計を用い、ＪＩＳ Ｚ ８８０３：２０１１に規定される粘度測定方法（ブルックフィールド製回転B型粘度計を用い、スピンドルLV-3を用いて回転速度12 rpmで計測）により、室温下（摂氏１７度〜２０度）で、最大測定値を５０万ｃＰとする条件において粘度の測定を行なった。
【００９１】
導電性粘液としては、吸水性ポリマー材料であるポリアクリル酸ナトリウムを溶質とし、溶媒を蒸留水とした。
【００９２】
図１９は、導電性粘液の重量濃度と粘度の関係を示したものである。
【００９３】
導電性粘液の粘度は、指数的に近似されることが明らかとなっている。最小値は溶液濃度０％、すなわち蒸留水単体としての粘度である１ｃＰ であり、臓器モデルとして使用可能な範囲の最大値は５０，０００ｃＰであった。すなわち、５０，０００ｃＰ以下が十分な流動性を有する粘度であると言える。５０，０００ｃＰ以下の範囲は、十分な流動性があり、ゲルとゾルの連続的な状態変化において、ゾル領域に属している。
【００９４】
このうち、内視鏡外科の熟練専門医による臓器モデルの評価実験の結果、好剥離手技訓練として使用可能な範囲は１４０ｃＰから２０，０００ｃＰの範囲であることが明らかとなった。この時の溶液の重量濃度は、０．５％ から３．０％の範囲である。
【００９５】
さらに鋭意評価実験を進めた結果、浸潤性、膜組織の視認性、触覚的視覚的再現性などの観点から剥離手技の臓器モデルとして特に好適な範囲は、９００ｃＰ 〜 ５０００ｃＰ であり、この時の重量濃度は、０．９％から２．０％の範囲であった。
【００９６】
導電性粘液として必須な構成としては、粘液固有の流動性と導電性がある。流動性については、繊維構造体に対して浸潤可能であり、かつ、剥離手技を実施している時間において粘液が繊維構造体に残存している範囲の粘度となる。
【００９７】
導電性については、手術訓練の剥離手技に用いられるモノポーラ、バイポーラ電気メスのいずれにおいても、電極間が絶縁されていないこと、すなわち導通可能な比較的低値な電気抵抗値であることである。
【００９８】
このことから、粘液として特に適しているものとしては、ハイドロゾル、ハイドロゲル、電解質モノマーを溶質とした溶液、エマルジョン、天然由来の材料としては卵白、卵白および塩類水溶液（例えば食塩水）の混合液などがある。
【００９９】
本発明において導電性粘液は、さらに着色されておらず無色かつ極力透明であることが望ましい。なぜならば、繊維質構造体（繊維質層２，３）に対して、粘液を浸潤することによって、繊維構造体に濡れ感を付与することで、外科医が当該繊維構造体を人体の膜組織であることを視覚的、触覚的に認識することが可能となり、剥離手技の対象物として再現性が大幅に向上するからである。
【０１００】
（使用方法）
次に上記人工臓器モデル１の使用方法を、図３〜図５を参照し、内視鏡剥離手技のトレ―ニングに用いる場合を例にとって説明する。
【０１０１】
この場合、まず、助手（第１の使用者）が第１の繊維質層２を鑷子５（ピンセット）でつまんで情報に持ち上げる。このことにより、前記第１の繊維質層２に対して牽引力（カウンタートラクション）を負荷する。このことで、積層方向に並んでいる上部の複数の繊維質が束で持ち上げられる。この繊維質の長さ方向の引っ張り強さは積層方向の結合力よりも強い、すなわちせん断力に異方性があるので、繊維質間の隙間が広がりながらテントのように稜線ができる形状（図３、図４に６で示す三角形状）で持ち上げられる。
【０１０２】
すなわち、従来のＰＶＡ製の人工臓器モデルであれば、弾性率が全方向に均一であるので、ピンセット５でつまんで上に持ち上げたとしても局所的にしか変形しないものであるのに対して、本発明の構成では、１本１本の繊維質は長さ方向の弾性に乏しく略伸びないので、１か所を上に引っ張った場合でも、すそ野がかなり広がる状態（図４に６で示す形状）で引きあげられ、三角形状に変形することになるのである。
【０１０３】
ついで、前記三角形状に持ち上がった部分６の高さ方向中央部分に対して、外科医（第２の使用者）が、電気メス７（や超音波メス）で第１の繊維質層２を切開し（図４に符号８で示す線）、剥離手技を開始する。この際に、第２の繊維質層３を損傷しないように注意する。ここで、含浸されたゲルの導電性が乏しいと電気が導通せず、出力をあげて高電圧を印加する必要があるから、繊維質が焦げてしまう。従って、十分な導電性を確保するための導電性ゲルは必要である。
【０１０４】
１つのコツとして、外科医は、一度の剥離手技動作で、例えば底辺の半分程度の長さに相当する長さ（図４に符号８に示す）で切開することにより、効率的な剥離動作を実現することができる。
【０１０５】
ここで外科医がマスターするべきテクニックとしては、牽引力、剥離部位、剥離長さ等である。これが不適切だと、第１、第２の繊維質層２，３の損傷の原因となり、手技としては不適当なものとなる。
【０１０６】
（第２の実施形態）
次に、具体的な手術手技トレーニングに最適化された例として、図６〜８を参照し、上記第１の実施形態である剥離基礎モデル１に模擬臓器を配置して挟み込んだ例１’について説明する。この例では、模擬人工血管モデル１０を配置した内視鏡下静脈採取法(EVH)訓練用の人工臓器モデル１’を示すものである。
【０１０７】
この人工臓器モデル１’を用いた訓練対象手技であるEndoscopic vessel harvesting (EVH)は、CABGにおけるグラフト採取法であり、その低侵襲から欧米を中心に適応が拡大されてきたものである。しかしながら、この手技は適切な技量を習得するまでに相当の経験を有する一方、不適切な静脈採取手技は静脈へのダメージを増大させ、静脈グラフトの開存性を低下させ、さらには患者の長期予後に影響することが知られ、非人体モデルでの訓練が強く要望されている領域である。
【０１０８】
図６は、この人工臓器モデル１’の各層を示す模式図、図７（ａ）は、図６のＡ−Ａ視図、図７（ａ）はその平面図である。なお、上記基礎人工臓器モデル１と同様の構成要素については同一符号を付してその詳しい説明は省略している。図８は、この人工臓器モデル１’の図７に対応する写真である。
【０１０９】
この人工臓器モデル１’では、図６に示すように、第１、第２の繊維質層２，３の間に、人工血管モデル１０が配置され、その上下に配置された接着層４と共に厚さ方向に加圧、加熱されて相互に接着された後、液状ゲルで湿潤され固化されたものである。この人工臓器モデル１’によれば、内視鏡スコープを用いて、血管モデル１０と繊維構造体２，３を剥離していく手技の訓練を実現することができる。
【０１１０】
また、上記人工臓器モデル１’として、上記の人工血管１０に変えて人工臓器ではなく、天然の動物由来の臓器を配置するようにしても良い。例えば、ブタ血管を配置し、心臓外科領域の冠動脈バイパス手術における内胸動脈（ITA）剥離モデルとして用い例が考えられる。
【０１１１】
ここで、内胸動脈剥離は、電気メス、超音波メスを用いて、グラフト血管を採取していくための手術手技である。内胸動脈には分枝が付随しており、これを結紮、切断処理を行い、本管部分を剥離、採取する。
【０１１２】
この人工臓器モデル１’によれば、冠動脈バイパス手術(CABG, OPCAB), 内視鏡下冠動脈バイパス手術（MICS CAB）、ロボット冠動脈バイパス手術などの術式に対応した訓練を実現することができる。
【０１１３】
（第３の実施形態）
この実施形態は、手術手技訓練の臨場感を出すために、図９に示すように、実際の動物臓器１２の表面に上記第２の実施形態の人工臓器モデル１’を接着して構成した例１１である。製造方法法としては、図９に示す順序で動物臓器１２の表面に各層２〜４、１０を積層した後、加圧・加熱し、その後液状ゲルで全体を湿潤することが好ましいが、前記第２の実施形態の完成した人工臓器モデル１’を単に動物臓器１２上に接着するものであっても良い。図１０，１１は、この人工臓器モデル１１の外観図である。
【０１１４】
図１２は、心臓外科医がこの人工臓器モデル１１を内胸動脈（ITA）に見立てて、電気メスによる剥離を行なっている様子である。この図では認識し辛いが、着色による異なる層の視認、繊維構造による牽引により、有効な訓練が実現されている。
【０１１５】
（第４の実施形態）
この実施形態の人工臓器モデル１"は、図１３、図１４に示すようなもので、前記第１〜第３の実施形態の人工臓器モデル１，１’を発展させた、内視鏡下Ｓ状結腸モデルである。
【０１１６】
図１５及び図１６は、それぞれ、この人工臓器モデル１"を図１４のＡ−Ａ線及びＢ−Ｂ線で切断した断面図である。この例では、５つの繊維質層１４〜１８を有し、各層１４〜１８は、隣り合う層同士が互いに異なる色で着色され、図示しない接着層を介して積層されている。
【０１１７】
そして各繊維質層１４〜１８の間には、Ｓ字腸菅１９、尿管２０、血管２１、神経２２など、手術トレーニングにおけるターゲット臓器が適宜配置されている。これらのターゲット模擬臓器は、損傷してはいけない、摘出すべき、触れてはいけない等の対象であり、各繊維質１４〜１８層と適度に接着されている。また、図に２３で示すのは脂肪層である。
【０１１８】
なお、この発明においては、この第４の実施形態に示すように、複数の繊維質層は互いに異なる大きさや厚さのものであっても良い。また、接着範囲も必ずしも繊維質層同士を全体的に接着するものである必要はなく、部分的に接着するものであっても良い。その場合、前記した接着層のカバーするべき範囲に合わせて適宜の形状にカットして使用することが好ましい。
【０１１９】
（第４の実施形態の製造工程）
次に上述した第４の実施形態に係る臓器モデルを具体的に製造するための工程について説明する。
【０１２０】
図２０は、本実施形態の具体的な製造工程を示すフローチャートである。
【０１２１】
なお、各工程を示す四角の枠内に示す数字は、工程を示す番号であり、以下で適宜参照する工程番号と一致する。
【０１２２】
（１）工程１．ファイバー（繊維質）を染色する工程
工程１では、前記繊維質層１４〜１８であるファイバー集合体を、各繊維質１４〜１８が代表する層に応じて所望の色に着色する。具体的には、以下のようにファイバーを染料に所定時間浸漬することによって行う。
【０１２３】
１）容器に６０℃の湯７Ｌを溜め、そこに着色のための染料を溶かす。
【０１２４】
２）前記ファイバー集合体を投入し、全体に染料を吸収させる。
【０１２５】
３）１５分ほど経過した後ひっくり返し、さらに１５分放置する。
【０１２６】
４）最後に水洗いして余分な染料を落とし、各ファイバー集合体を完全に乾燥させる。
【０１２７】
（２）工程２．ファイバー及び接着芯地を所望の形状にカットする工程
工程１では、繊維質層１４〜１８であるファイバー集合体を、各繊維質層が代表する層に応じて所望の形状にカット成形する。具体的には、以下のようにファイバーをレーザーで切断することによって行う。
【０１２８】
１）上記染色工程にて黄色に染色した「ファイバー１」、同工程で桃色に染色した「ファイバー２」および「接着芯地」をレーザーにてカットし、組立パーツを作成する。
【０１２９】
２）染色を行っていない「ファイバー３」、「ファイバー４」および「接着芯地」の寸法を計測して、ロールカッターでカットし、組立パーツを作成する。
【０１３０】
ここで、ファイバーと接着芯地は１対１に対応するため、接着芯地は、ファイバーと同じ形状にカットする。
【０１３１】
（３）工程３．ターゲット臓器の作製工程
工程３では、前記Ｓ字腸菅、尿管、血管、神経（前記符号１９〜２２に対応）など、手術トレーニングにおけるターゲット臓器をシリコーンにて作成する。
【０１３２】
１）各臓器専用の金型を用意し、これにシリコーンを流し込み、血管（ＩＭＡ・ＩＭＶ・性腺動静脈）・下腹神経・尿管を作製する。
【０１３３】
２）次に、上記作成した各臓器に不織布をらせん状に巻きつけ、繊維質層との接着性を高める処理を行う。
【０１３４】
（４）工程４．臓器モデルの組立工程
工程４では、上記で作成した繊維質層１４〜１８とターゲット臓器１９〜２２を互いに接着し、図２１、図２２に示すように臓器モデルを組み立てる。具体的に以下の工程を実施する。
【０１３５】
１）「腸管」用の同じ形状パーツを重ね合わせ、接着芯地にて固定する。
【０１３６】
２）「腸管」に「腸管周り脂肪」をミシンにて一部を縫い合わせる。
【０１３７】
３）「腸管」を筒状に、ミシンにて縫い合わせる。
【０１３８】
４）「腸管」に「腸管下フレキシブル脂肪＿ｐｒｏｘｉｍａｌ」「腸管下フレキシブル脂肪＿ｄｉｓｔａｌ」を接着芯地にて固定する。
【０１３９】
５）「腸管下フレキシブル脂肪＿ｄｉｓｔａｌ」に「血管モデル（ＩＭＡ）」の末梢を、数点手縫いで縫い付け位置を固定する。
【０１４０】
６）「腸管周り脂肪」を「腸管下フレキシブル脂肪」に接着芯地にて固定する。
【０１４１】
７）「直腸固有筋膜＿腸間膜後葉側」を「腸管周り脂肪」に接着芯地にて固定する。
【０１４２】
８）「腸間膜後葉側の脂肪」を「直腸固有筋膜＿腸間膜後側」に接着芯地にて固定する。
【０１４３】
９）「腸間膜後葉側の脂肪」と「直腸固有筋膜＿腸間膜後側」に「血管モデル（ＩＭＡ）」の中枢側を貫通させるための穴をあけ、「血管モデル（ＩＭＡ）」の中枢側をその穴に通す。
【０１４４】
１０）「血管モデル（ＩＭＡ）」・「血管モデル（ＩＭＶ）」を「腸間膜前葉側の脂肪」・「腸間膜後葉側の脂肪」で挟み、接着芯地にて固定する。
【０１４５】
１１）「直腸固有筋膜＿腸間膜前葉側」を「腸間膜頭葉側の脂肪」・「腸管周りの脂肪」にかぶせ、接着芯地にて固定する。このことにより腸管ユニットが完成する。
【０１４６】
１２）「後腹膜」に「血管モデル（性腺動静脈）」・「尿管」・「下腹神経」をそれぞれ数点手縫いで縫い付け位置を固定する。
【０１４７】
１３）「後腹膜」と「下腹神経前筋膜」で１２）の構造物をはさみ、接着芯地にて固定する。
【０１４８】
１４）「後腹膜」と「下腹神経前筋膜」に「血管モデル（ＩＭＡ）」の中枢側を貫通させるための穴をあける。
【０１４９】
１５）上記１１）で完成した腸管ユニットを「下腹神経前筋膜」に接着芯地にて固定する。このとき、「血管モデル（ＩＭＡ）」の中枢側を１４）であけた穴に通す。
【０１５０】
１６）「血管モデル（ＩＭＡ）」・「下腹神経」を「後腹膜」へ手縫いで縫い付け固定する。（もしくはホッチキス止めする）
１７）腸管ユニットの上に、「腸間膜外側脂肪＿外側」・「腸間膜外側脂肪＿内側」を接着芯地にて固定する。
【０１５１】
１８）「後腹膜」の下に同形状のファイバーを接着芯地にて固定する。
【０１５２】
１９）「腸管」の末梢部を「後腹膜」へ手縫いで縫い付け固定する。
【０１５３】
２０）モデルからはみ出た構造物（血管モデル・尿管・下腹神経）を切る。
【０１５４】
これにより、以下のような図２１に示すような層構造体（臓器モデルの基本構造体）を得ることができる。
【０１５５】
（５）工程５．モデル固定枠の作製工程
工程５では、工程４で得られた層構造物を立体的に成形するための固定枠（図２３，２４）を用意する。
【０１５６】
１）まず、ステンレス平織金網を３０ｃｍ×４０ｃｍにカットする。
【０１５７】
２）安全対策のため、切り口にガムテープを張り付ける（図２４）。
【０１５８】
３）石膏製の骨盤モデル内腔型に押し当てながら、形状を作製する（図２３）。
【０１５９】
（６）工程６．モデルの固定工程
工程６では、工程４で組み立てた臓器モデルを、工程５で用意したモデル固定枠に固定する。
【０１６０】
１）まず臓器モデルを金網と合わせ、固定する位置を決める。
【０１６１】
２）金網越しに、固定箇所をマジックでマーキングする。
【０１６２】
３）一度モデルを金網から外し、マーキングした箇所に糸を結びつける。
【０１６３】
４）上記モデルに結んだ糸を利用し、金網にモデルを固定する。
【０１６４】
５）余分な糸を切り取る。
【０１６５】
（７）工程７．臓器を追加する工程
工程７では、直腸のＺ軸方向上部に、膀胱の役割の構造体を追加する。
【０１６６】
１）ファイバー２を１５ｃｍ×２０ｃｍ程度の大きさにカットする。
【０１６７】
２）直腸付近のステンレス平織金網に、手縫いで上記ファイバーを縫いつける。
【０１６８】
（８）工程８．導電性粘液で浸潤する工程
工程８では、最終工程となる導電性粘液による湿潤を行う。導電性粘液は、用途に応じて種類を選択しても良い。ここでは一般的に用いる粘液を、種類ごとに、工程Ａ、 工程Ｂと区分した。
工程８−１Ａ  粘液混合・配合サブ工程Ａ（ハイドロゾル）
【０１６９】
１Ａ）まず、「ゲル化剤（ポリアクリル酸ナトリウム）」と「グリセリン」を計量し、混ぜ合わせる（溶液Ａ）
２Ａ）「炭酸水素ナトリウム」と「除菌剤」と「水道水」を混ぜ合わせる（溶液Ｂ）
３Ａ）溶液Ｂに溶液Ａを流し込み、すぐにかき混ぜる。
【０１７０】
４Ａ）遠心撹拌脱泡器にて、撹拌脱泡を行う。
工程８−１Ｂ  粘液混合・配合サブ工程B(天然由来の卵白食塩水混合液)
１Ｂ)卵白を計量する。
２Ｂ)１０ｗｔ％の食塩水を計量し、作成する。
３Ｂ)卵白１０に対して、１０ｗｔ％の食塩水を５の割合で混合する。
４Ｂ)遠心撹拌脱泡器にて、撹拌脱泡を行う。
工程８−２  Ｓ状結腸モデルへの流し込み、刷り込み工程
【０１７１】
５）前記工程８−１Ａ若しくはＢで得られた導電性粘液をＳ状結腸モデルに流し込み、手又は刷毛で繊維層に刷り込む。
【０１７２】
６）モデルは上記粘液中で一晩程度放置するのが好ましい。この放置後の状態における好ましい粘液の粘度は１２１０ｃｐである。なお、この粘度の設定は、ポリアクリル酸ナトリウム、グリセリン、炭酸水素ナトリウム、水の配合比を調整することで行えるが、本発明における粘度の好ましい下限および上限は上述した値である。
【０１７３】
これにより、第４の実施形態に係るＳ状結腸モデルが完成する。
【０１７４】
なお、本実施形態において、導電性粘液はあくまで流動性を有するゾルであることが必須であり、逆に流動性を失った固体ゲルではあってはならない。
上記工程８−１Ａ,工程８−１Ｂにおいては、いずれも導電性粘液はハイドロゾルと定義されるものであるが、これは濾紙の透過実験によって証明される。
例えばコーヒーフィルタのような濾紙に対象となる導電性粘液を入れ、静置する。本実施形態で用いている粘液は数分程度でフィルタを透過することが確認できた。これは、モデルの主要な構造体である繊維構造体への浸潤性能と同義でもある。一方、ハイドロゲル、オルガノゲル、アルコゲルなどのゲルであって、濾紙を透過しないものは、本実施形態で用いる導電性粘液としては好ましくないことを確認した。
（９）工程９．完成した臓器モデルを梱包する工程
工程９では、工程８の導電性粘液の湿潤により完成した人工臓器モデルを、粘液が乾燥したいり固化しないように図２５に示すようにラップを使用して封入する。
【０１７５】
１）ゲルを浸潤させたモデルをラップで包む。または、真空パックで包装しても良い。
【０１７６】
２）ラップ（真空パック）で包んだモデルをビニール袋に入れ封を閉じる。
【０１７７】
３）導電性粘液の漏れ防止対策、金網変形防止対策のため、コンテナボックスに入れ、ふたを閉じる。これにより効果的に乾燥若しくは固化が防止される。
【０１７８】
このことで導電性粘液の流出、蒸発や乾燥が防止され、所望の湿潤状態が維持される
【０１７９】
図２６は、このように製造された人工臓器モデルの使用形態を示すものである。
【０１８０】
上記人工臓器モデルを使用する際には、この人工臓器モデルを上記コンテナボックスから取り出し、ビニール袋及びラップを外すことで封入状態を解除する。この封入状態の解除は、手術手技の訓練開始の直前に行うことが望ましい。このことで、上記導電性粘液による濡れ性と導電性が手術手技トレーニング中に一定時間以上（例えば５分〜６０分）保たれる。
【０１８１】
なお、この発明は上記一実施形態に限定されるものではなく、発明の要旨を変更しない範囲で種々変形可能であることは言うまでもない。
【０１８２】
例えば、上記一実施形態の接着層は接着芯地であったが、これに限定されるものではない。多孔質素材であれば他の素材で成形されたものであっても良い。また、導電性粘液の流通性を妨げない構成であれば、繊維質層同士を接着剤で直接接着するようにしても良い。
【符号の説明】
【０１８３】
１…人工臓器モデル
２…第１の繊維質層
３…第２の繊維質層
４…接着層
５…鑷子（ピンセット）
６…三角形部分
７…電気メス
１０…模擬人工血管モデル
１１…第３の実施形態の人工臓器モデル
１２…動物臓器
１４〜１８…繊維質層
１９…Ｓ字腸菅
２０…尿管
２１…血管
２２…神経
【図１】
2020126216.tif 000003
【図２】
2020126216.tif 000004
【図３】
2020126216.tif 000005
【図４】
2020126216.tif 000006
【図５】
2020126216.tif 000007
【図６】
2020126216.tif 000008
【図７】
2020126216.tif 000009
【図８】
2020126216.tif 000010
【図９】
2020126216.tif 000011
【図１０】
2020126216.tif 000012
【図１１】
2020126216.tif 000013
【図１２】
2020126216.tif 000014
【図１３】
2020126216.tif 000015
【図１４】
2020126216.tif 000016
【図１５】
2020126216.tif 000017
【図１６】
2020126216.tif 000018
【図１７】
2020126216.tif 000019
【図１８】
2020126216.tif 000020
【図１９】
2020126216.tif 000021
【図２０】
2020126216.tif 000022
【図２１】
2020126216.tif 000023
【図２２】
2020126216.tif 000024
【図２３】
2020126216.tif 000025
【図２４】
2020126216.tif 000026
【図２５】
2020126216.tif 000027
【図２６】
2020126216.tif 000028
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
手術手技訓練用の人工臓器モデルであって、
２以上の繊維質層が、手術手技訓練実施者が剥離可能な強度で互いに接着されて積層されてなる繊維質構造体を有し、
前記繊維質構造体は、上記２以上の繊維質層（ハイドロゲル材料を含まない）を上記強度で互いに接着した後に、導電性の液体、液状ゾル若しくは液状ゲルで内部に亘り全体的に浸潤してなるものである
ことを特徴とする手術手技訓練用の人工臓器モデル。
【請求項２】
請求項１記載の手術手技訓練用の人工臓器モデルにおいて、
上記２以上の繊維質層のうち互いに隣り合う２つの繊維質層は、異なる膜であることを前記手術手技訓練実施者が認識できるように互いに異なる材料、材質若しくは異なる色を有するように形成されたものである
ことを特徴とする手術手技訓練用の人工臓器モデル。
【請求項３】
請求項１記載の手術手技訓練用の人工臓器モデルにおいて、
上記２以上の繊維質層のうち、選択された２つの繊維質層の間には、手術手技訓練用の模擬臓器が配置されている
ことを特徴とする手術手技訓練用の人工臓器モデル。
【請求項４】
請求項３記載の手術手技訓練用の人工臓器モデルにおいて、
前記模擬臓器は人工素材で形成された人工模擬臓器である
ことを特徴とする人工臓器モデル。
【請求項５】
請求項３記載の手術手技訓練用の人工臓器モデルにおいて、
前記模擬臓器は動物から採取したものである
ことを特徴とする人工臓器モデル。
【請求項６】
請求項３記載の手術手技訓練用の人工臓器モデルにおいて、
前記模擬臓器は、尿管、血管、腸管、神経のうちの１つ若しくは２以上である
ことを特徴とする人工臓器モデル。
【請求項７】
請求項１記載の手術手技訓練用の人工臓器モデルにおいて、
前記繊維質層間の接着は、熱可塑性樹脂を用いて行われている
ことを特徴とする手術手技訓練用の人工臓器モデル。
【請求項８】
請求項１記載の手術手技訓練用の人工臓器モデルにおいて、
前記繊維質層間の接着は、多孔質材料からなる接着層を介して行われている
【請求項９】
請求項８記載の手術手技訓練用の人工臓器モデルにおいて、
前記接着層は接着芯地である
ことを特徴とする手術手技訓練用の人工臓器モデル。
【請求項１０】
請求項９記載の手術手技訓練用の人工臓器モデルにおいて、
前記接着芯地は、必要な剥離強度に応じて２以上用いられるものである
ことを特徴とする手術手技訓練用の人工臓器モデル。
【請求項１１】
請求項１記載の手術手技訓練用の人工臓器モデルにおいて、
この人工臓器モデルは、所定の模擬臓器の表面に接着されているものであることを特徴とする手術手技訓練用の人工臓器モデル。
【請求項１２】
請求項１記載の手術手技訓練用の人工臓器モデルにおいて、
前記導電性の液体、液状ゾル又は液状のゲルの粘度は、１ｃｐ以上５０、０００ｃｐ以下である
ことを特徴とする手術手技訓練用の人工臓器モデル。
【請求項１３】
請求項１２記載の手術手技訓練用の人工臓器モデルにおいて、
前記導電性の液体又はゲルの粘度は１４０ｃＰ〜２０，０００ｃＰである
ことを特徴とする手術手技訓練用の人工臓器モデル。
【請求項１４】
請求項１２記載の手術手技訓練用の人工臓器モデルにおいて、
前記導電性の液体又はゲルの粘度は９００ｃＰ〜５０００ｃＰである
ことを特徴とする手術手技訓練用の人工臓器モデル。
【請求項１５】
請求項１記載の手術手技訓練用の人工臓器モデルにおいて、
前記導電性の液体又はゲルは無色透明である
ことを特徴とする手術手技訓練用の人工臓器モデル。
【請求項１６】
前記導電性の液体、液状ゾル又は液状のゲルは、粘性を有する電解質水溶液、流動性を有するハイドロゲル、ハイドロゾル、エマルジョン、卵白、又はこれら２以上の混合水溶液である
ことを特徴とする手術手技訓練用の人工臓器モデル。
【請求項１７】
請求項１記載の手術手技訓練用の人工臓器モデルにおいて、
前記繊維質構造体は、導電性の液体又はゲルで全体的に浸潤された後に封入される
ことを特徴とする手術手技訓練用の人工臓器モデル。
【請求項１８】
２以上の繊維質層（ハイドロゲル材料を含まない）を用意する工程と、
上記２以上の繊維質層を積層させて互いに接着する工程と、
上記互いに接着された２以上の繊維質層に導電性の液体、液状ゾル又は液状ゲルを供給し内部に亘り浸潤させる工程と、
を有することを特徴とする手術手技訓練用の人工臓器モデルの製造方法。
【請求項１９】
請求項１８記載の製造方法において、
前記接着工程は、手術手技訓練実施者の手術手技により剥離可能な強度で前記２以上の繊維質層同士を接着するものである
ことを特徴とする製造方法。
【請求項２０】
請求項１８記載の製造方法において、
さらに、
前記２以上の繊維質層のうち互いに隣り合う２つの繊維質層を、異なる膜であることを前記手術手技訓練実施者が認識できるように互いに異なる材料、材質若しくは異なる色を有するように準備する工程を有する
ことを特徴とする製造方法。
【請求項２１】
請求項１８記載の製造方法において、
前記２以上の繊維質層を積層させて互いに接着する工程は、
上記２以上の繊維質層を積層させる際に、上記繊維層間にシート状の接着層を介在させる工程と、
前記積層された２以上の繊維質層を加熱して上記繊維質層同士を接着する工程と
を有することを特徴とする製造方法。
【請求項２２】
請求項１８記載の製造方法において、さらに、
上記２以上の繊維質層のうち、選択された２つの繊維質層の間に、手術手技訓練用の模擬臓器が配置する工程を有する
ことを特徴とする製造方法。
【請求項２３】
請求項２２記載の製造方法において、
前記模擬臓器は人工素材で形成された人工模擬臓器である
ことを特徴とする製造方法。
【請求項２４】
請求項２２記載の製造方法において、
前記模擬臓器は動物から採取したものである
ことを特徴とする製造方法。
【請求項２５】
請求項２２記載の製造方法において、
前記模擬臓器は、尿管、血管、腸管、神経のうちの１つ若しくは２以上である
ことを特徴とする製造方法。
【請求項２６】
請求項１８記載の製造方法において、
前記繊維質層間の接着は、熱可塑性樹脂を用いて行われている
ことを特徴とする製造方法。
【請求項２７】
請求項１８記載の製造方法において、
前記繊維質層間の接着は、前記熱可塑性樹脂若しくは接着剤が含浸若しくはコーティングされた薄膜シートを選択された１枚若しくは枚数積層して用いることで行う
ことを特徴とする製造方法。
【請求項２８】
請求項１８記載の製造方法において、さらに、
前記人工臓器モデルを、所定の模擬臓器の表面に接着する工程を有する
ことを特徴とする製造方法。
【請求項２９】
請求項１８記載の製造方法において、
さらに、
前記導電性の液体、液状ゾル又は液状ゲルで湿潤された繊維質層を封入する工程を有する
ことを特徴とする製造方法。
【請求項３０】
人工臓器モデルを用いた手術手技訓練方法において、
前記人工臓器モデルは、
２以上の繊維質層が、手術手技訓練実施者が剥離可能な強度で互いに接着されて積層されてなる繊維質構造体を有し、
前記繊維質構造体は、上記２以上の繊維質層（ハイドロゲル材料を含まない）が上記強度で互いに接着された後に、導電性の液体又は液状ゾル若しくは液状ゲルで内部に亘り全体的に浸潤されてなるものであり、
この手術手技訓練方法は、
前記２以上の繊維質層のうち表層をピンセットでリフトアップして牽引力（カウンタートラクション）を付加する工程と、
電気メスや超音波メスで前記リフトアップした繊維質層を切開し、下層の繊維質層から分離して剥離する工程と
を有することと特徴とする手術手技訓練方法。
【請求項３１】
請求項２８記載の訓練方法において、
前記人工臓器モデルの２以上の繊維質層のうち、選択された２つの繊維質層の間には、手術手技訓練用の模擬臓器が配置されおり、
この訓練方法は、
さらに、前記模擬臓器を採取する工程をさらに有する
ことを特徴とする訓練方法。
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
手術手技訓練用の人工臓器モデルであって、
２以上の繊維質層が、手術手技訓練実施者が剥離可能な強度で互いに接着されて積層されてなる繊維質構造体を有し、
前記繊維質構造体は、上記２以上の繊維質層（ハイドロゲル材料を含まない）を上記強度で互いに接着した後に、導電性の液体、液状ゾル若しくは液状ゲルで内部に亘り全体的に浸潤してなるものである
ことを特徴とする手術手技訓練用の人工臓器モデル。
【請求項２】
請求項１記載の手術手技訓練用の人工臓器モデルにおいて、
上記２以上の繊維質層のうち互いに隣り合う２つの繊維質層は、異なる膜であることを前記手術手技訓練実施者が認識できるように互いに異なる材料、材質若しくは異なる色を有するように形成されたものである
ことを特徴とする手術手技訓練用の人工臓器モデル。
【請求項３】
請求項１記載の手術手技訓練用の人工臓器モデルにおいて、
上記２以上の繊維質層のうち、選択された２つの繊維質層の間には、手術手技訓練用の模擬臓器が配置されている
ことを特徴とする手術手技訓練用の人工臓器モデル。
【請求項４】
請求項３記載の手術手技訓練用の人工臓器モデルにおいて、
前記模擬臓器は人工素材で形成された人工模擬臓器である
ことを特徴とする人工臓器モデル。
【請求項５】
請求項３記載の手術手技訓練用の人工臓器モデルにおいて、
前記模擬臓器は動物から採取したものである
ことを特徴とする人工臓器モデル。
【請求項６】
請求項３記載の手術手技訓練用の人工臓器モデルにおいて、
前記模擬臓器は、尿管、血管、腸管、神経のうちの１つ若しくは２以上である
ことを特徴とする人工臓器モデル。
【請求項７】
請求項１記載の手術手技訓練用の人工臓器モデルにおいて、
前記繊維質層間の接着は、熱可塑性樹脂を用いて行われている
ことを特徴とする手術手技訓練用の人工臓器モデル。
【請求項８】
請求項１記載の手術手技訓練用の人工臓器モデルにおいて、
前記繊維質層間の接着は、多孔質材料からなる接着層を介して行われている
【請求項９】
請求項８記載の手術手技訓練用の人工臓器モデルにおいて、
前記接着層は接着芯地である
ことを特徴とする手術手技訓練用の人工臓器モデル。
【請求項１０】
請求項９記載の手術手技訓練用の人工臓器モデルにおいて、
前記接着芯地は、必要な剥離強度に応じて２以上用いられるものである
ことを特徴とする手術手技訓練用の人工臓器モデル。
【請求項１１】
請求項１記載の手術手技訓練用の人工臓器モデルにおいて、
この人工臓器モデルは、所定の模擬臓器の表面に接着されているものであることを特徴とする手術手技訓練用の人工臓器モデル。
【請求項１２】
請求項１記載の手術手技訓練用の人工臓器モデルにおいて、
前記導電性の液体、液状ゾル又は液状のゲルの粘度は、１ｃｐ以上５０、０００ｃｐ以下である
ことを特徴とする手術手技訓練用の人工臓器モデル。
【請求項１３】
請求項１２記載の手術手技訓練用の人工臓器モデルにおいて、
前記導電性の液体又はゲルの粘度は１４０ｃＰ〜２０，０００ｃＰである
ことを特徴とする手術手技訓練用の人工臓器モデル。
【請求項１４】
請求項１２記載の手術手技訓練用の人工臓器モデルにおいて、
前記導電性の液体又はゲルの粘度は９００ｃＰ〜５０００ｃＰである
ことを特徴とする手術手技訓練用の人工臓器モデル。
【請求項１５】
請求項１記載の手術手技訓練用の人工臓器モデルにおいて、
前記導電性の液体又はゲルは無色透明である
ことを特徴とする手術手技訓練用の人工臓器モデル。
【請求項１６】
請求項１記載の手術手技訓練用の人工臓器モデルにおいて、
前記導電性の液体、液状ゾル又は液状のゲルは、粘性を有する電解質水溶液、流動性を有するハイドロゲル、ハイドロゾル、エマルジョン、卵白、又はこれら２以上の混合水溶液である
ことを特徴とする手術手技訓練用の人工臓器モデル。
【請求項１７】
請求項１記載の手術手技訓練用の人工臓器モデルにおいて、
前記繊維質構造体は、導電性の液体又はゲルで全体的に浸潤された後に封入される
ことを特徴とする手術手技訓練用の人工臓器モデル。
【請求項１８】
２以上の繊維質層（ハイドロゲル材料を含まない）を用意する工程と、
上記２以上の繊維質層を積層させて互いに接着する工程と、
上記互いに接着された２以上の繊維質層に導電性の液体、液状ゾル又は液状ゲルを供給し内部に亘り浸潤させる工程と、
を有することを特徴とする手術手技訓練用の人工臓器モデルの製造方法。
【請求項１９】
請求項１８記載の製造方法において、
前記接着工程は、手術手技訓練実施者の手術手技により剥離可能な強度で前記２以上の繊維質層同士を接着するものである
ことを特徴とする製造方法。
【請求項２０】
請求項１８記載の製造方法において、
さらに、
前記２以上の繊維質層のうち互いに隣り合う２つの繊維質層を、異なる膜であることを手術手技訓練実施者が認識できるように互いに異なる材料、材質若しくは異なる色を有するように準備する工程を有する
ことを特徴とする製造方法。
【請求項２１】
請求項１８記載の製造方法において、
前記２以上の繊維質層を積層させて互いに接着する工程は、
上記２以上の繊維質層を積層させる際に、上記繊維層間にシート状の接着層を介在させる工程と、
前記積層された２以上の繊維質層を加熱して上記繊維質層同士を接着する工程と
を有することを特徴とする製造方法。
【請求項２２】
請求項１８記載の製造方法において、さらに、
上記２以上の繊維質層のうち、選択された２つの繊維質層の間に、手術手技訓練用の模擬臓器が配置する工程を有する
ことを特徴とする製造方法。
【請求項２３】
請求項２２記載の製造方法において、
前記模擬臓器は人工素材で形成された人工模擬臓器である
ことを特徴とする製造方法。
【請求項２４】
請求項２２記載の製造方法において、
前記模擬臓器は動物から採取したものである
ことを特徴とする製造方法。
【請求項２５】
請求項２２記載の製造方法において、
前記模擬臓器は、尿管、血管、腸管、神経のうちの１つ若しくは２以上である
ことを特徴とする製造方法。
【請求項２６】
請求項１８記載の製造方法において、
前記繊維質層間の接着は、熱可塑性樹脂を用いて行われている
ことを特徴とする製造方法。
【請求項２７】
請求項１８記載の製造方法において、
前記繊維質層間の接着は、熱可塑性樹脂若しくは接着剤が含浸若しくはコーティングされた薄膜シートを選択された１枚若しくは枚数積層して用いることで行う
ことを特徴とする製造方法。
【請求項２８】
請求項１８記載の製造方法において、さらに、
前記人工臓器モデルを、所定の模擬臓器の表面に接着する工程を有する
ことを特徴とする製造方法。
【請求項２９】
請求項１８記載の製造方法において、
さらに、
前記導電性の液体、液状ゾル又は液状ゲルで湿潤された繊維質層を封入する工程を有する
ことを特徴とする製造方法。
【請求項３０】
人工臓器モデルを用いた手術手技訓練方法において、
前記人工臓器モデルは、
２以上の繊維質層が、手術手技訓練実施者が剥離可能な強度で互いに接着されて積層されてなる繊維質構造体を有し、
前記繊維質構造体は、上記２以上の繊維質層（ハイドロゲル材料を含まない）が上記強度で互いに接着された後に、導電性の液体又は液状ゾル若しくは液状ゲルで内部に亘り全体的に浸潤されてなるものであり、
この手術手技訓練方法は、
前記２以上の繊維質層のうち表層をピンセットでリフトアップして牽引力（カウンタートラクション）を付加する工程と、
電気メスや超音波メスで前記リフトアップした繊維質層を切開し、下層の繊維質層から分離して剥離する工程と
を有することと特徴とする手術手技訓練方法。
【請求項３１】
請求項３０記載の訓練方法において、
前記人工臓器モデルの２以上の繊維質層のうち、選択された２つの繊維質層の間には、手術手技訓練用の模擬臓器が配置されおり、
この訓練方法は、
さらに、前記模擬臓器を採取する工程をさらに有する
ことを特徴とする訓練方法。